(57)【要約】【課題】設備制御装置において、設備の消費電力の削減を図るようにする。【解決手段】居室１２の外側に設置された記憶媒体情報読取部２４と、各情報を管理する情報管理部２６と、記憶媒体情報読取部２４の情報と情報管理部２６の情報とを照合して、ユーザの入退室を確認する入退室確認部２８と、入退室確認部２８がユーザの入室を確認した場合、情報管理部の情報に基づいて設備を選定する設備選定部３６と、設備選定部３６により選定された設備を制御する設備制御部３８とを有する。設備選定部３６が適切な設備を選定することにより、設備の消費電力の削減を図ることができる。【選択図】図１
2010183322.tif 000002
【特許請求の範囲】
【請求項１】
居室の外側に設置され、ユーザが所持する記憶媒体に記憶された記憶媒体情報を読み取る記憶媒体情報読取部と、
ユーザの個人情報と、居室に設置された設備の設備情報とを管理する情報管理部と、
記憶媒体情報読取部が読み取った記憶媒体情報と、情報管理部が管理する個人情報とを照合して、ユーザの入退室を確認する入退室確認部と、
入退室確認部がユーザの入室を確認した場合、情報管理部が管理する設備情報に基づいて設備を選定する設備選定部と、
設備選定部により選定された設備を制御する設備制御部と、
を有することを特徴とする設備制御装置。
【請求項２】
請求項１に記載の設備制御装置において、
情報管理部により管理される設備情報には、照明の位置情報が含まれ、
設備選定部は、照明の位置情報に基づいて照明を選定する照明選定部を含み、
設備制御部は、照明選定部により選定された照明を制御する照明制御部を含み、
照明選定部は、入室するユーザの個人情報に基づいて、そのユーザが過去に執務を行った執務エリアを推定し、居室のドアと推定した執務エリアとを結ぶ動線に対応する照明を選定し、
照明制御部は、照明選定部により選定された照明を点灯させる、
ことを特徴とする設備制御装置。
【請求項３】
請求項１に記載の設備制御装置において、
さらに、居室に設置されたカメラにより居室の移動体を監視する移動体監視部を有し、
情報管理部により管理される設備情報には、照明の位置情報が含まれ、
設備選定部は、照明の位置情報に基づいて照明を選定する照明選定部を含み、
設備制御部は、照明選定部により選定された照明を制御する照明制御部を含み、
照明選定部は、移動体監視部による移動体の情報に基づいて、居室のドアと、ユーザが執務を行う執務エリアとを結ぶ動線に対応する照明を選定し、
照明制御部は、照明選定部により選定された照明を点灯させる、
ことを特徴とする設備制御装置。
【請求項４】
請求項２または３に記載の設備制御装置において、
さらに、居室に設置されたパソコンの位置情報と認証状態とを管理するパソコン管理部を有し、
照明選定部は、パソコン管理部から得られるログオン状態のパソコンの位置情報に基づいて、ユーザが執務を行う執務エリアを特定して、特定した執務エリアに対応する照明を選定し、
照明制御部は、照明選定部により選定された照明を点灯させる、
ことを特徴とする設備制御装置。
【請求項５】
請求項２から４のいずれか１つに記載の設備制御装置において、
照明制御部は、入退室確認部がユーザの入室を確認してから所定時間経過した場合、居室のドアと執務エリアとを結ぶ動線に対応する照明を消灯させる、
ことを特徴とする設備制御装置。
【請求項６】
請求項４に記載の設備制御装置において、
照明制御部は、パソコンがログオン状態になった場合、居室のドアと執務エリアとを結ぶ動線に対応する照明を消灯させる、
ことを特徴とする設備制御装置。
【請求項７】
請求項４から６のいずれか１つに記載の設備制御装置において、
照明制御部は、パソコンがログオフ状態になった場合、執務エリアに対応する照明を消灯させる、
ことを特徴とする設備制御装置。
【請求項８】
請求項４から７のいずれか１つに記載の設備制御装置において、
ユーザが執務エリアから移動した場合、照明選定部は、移動体監視部による移動体の情報に基づいて、ユーザが移動した経路に対応する照明を選定し、
照明制御部は、照明選定部により選定された照明を点灯させる、
ことを特徴とする設備制御装置。
【請求項９】
請求項８に記載の設備制御装置において、
照明制御部は、移動体監視部が、ユーザが執務エリア内に戻ったことを確認してから所定時間経過した場合、ユーザが移動した経路に対応する照明を消灯させる、
ことを特徴とする設備制御装置。
【請求項１０】
請求項４から９のいずれか１つに記載の設備制御装置において、
照明制御部は、パソコンがログオフ状態になった場合、居室のドアと執務エリアとを結ぶ動線に対応する照明を再度点灯させる、
ことを特徴とする設備制御装置。
【請求項１１】
請求項１０に記載の設備制御装置において、
照明制御部は、入退室確認部がユーザの退室を確認した場合、居室のドアと執務エリアとを結ぶ動線に対応する照明を消灯させる、
ことを特徴とする設備制御装置。
【請求項１２】
請求項１に記載の設備制御装置において、
情報管理部により管理される設備情報には、空調機の空調対象ゾーン情報が含まれ、
設備選定部は、空調対象ゾーン情報に基づいて、ユーザが執務を行う執務エリアの冷暖房を行う空調機を選定する空調機選定部を含み、
設備制御部は、空調機選定部により選定された空調機を制御する空調機制御部を含み、
空調機選定部は、入室するユーザの個人情報に基づいて、そのユーザが過去に執務を行っていた執務エリアを推定して、推定した執務エリアの冷暖房を行う空調機を選定し、
空調機制御部は、空調機選定部により選定された空調機を運転させる、
ことを特徴とする設備制御装置。
【請求項１３】
請求項１２に記載の設備制御装置において、
空調機制御部は、入退室確認部がユーザの退室を確認した場合、運転中の空調機を停止させる、
ことを特徴とする設備制御装置。
【請求項１４】
請求項１に記載の設備制御装置において、
さらに、居室に設置されたパソコンの位置情報と認証状態とを管理するパソコン管理部を有し、
情報管理部により管理される設備情報には、空調機の空調対象ゾーン情報が含まれ、
設備選定部は、空調対象ゾーン情報に基づいて、ユーザが執務を行う執務エリアの冷暖房を行う空調機を選定する空調機選定部を含み、
設備制御部は、空調機選定部により選定された空調機を制御する空調機制御部を含み、
空調機選定部は、パソコン管理部から得られるログオン状態のパソコンの位置情報に基づいて、ユーザが執務を行う執務エリアを特定して、特定した執務エリアの冷暖房を行う空調機を選定し、
空調機制御部は、空調機選定部により選定された空調機を運転させる、
ことを特徴とする設備制御装置。
【請求項１５】
請求項１４に記載の設備制御装置において、
空調機制御部は、パソコンがログオフ状態になった場合、運転中の空調機を停止させる、
ことを特徴とする設備制御装置。
【請求項１６】
請求項１から１５のいずれか１つに記載の設備制御装置において、
居室のドアには電気錠が設けられ、
入退室確認部の入退室の確認に基づいて電気錠を制御する電気錠制御部を有する、
ことを特徴とする設備制御装置。
【発明の詳細な説明】
【技術分野】
【０００１】
本発明は、ビルなどの居室の入退室を管理するとともに、入退室の情報に基づいて居室に設けられた設備を制御する設備制御装置の改良に関する。
【背景技術】
【０００２】
従来から、ビルなどの居室の入退室を管理するとともに、入退室の情報に基づいて居室に設けられた設備を制御する装置が知られている。
【０００３】
下記特許文献１には、居室の入退室に必要なカードに記憶された情報を読み取る読取装置を有し、読取装置が読み取った個人位置情報に対応する照明機器を選定し、選定された照明機器を制御する照明制御装置が開示されている。この照明制御装置によれば、入室時に、必要な範囲の照明のみを点灯させることができ、退出時に、点灯している照明を消灯させることができる。
【０００４】
下記特許文献２には、居室の出入口にカードリーダーを設置し、電気錠の施錠・解錠制御を行う入退管理システムであって、ＩＣカードによる認証を用いて空調設備と照明設備を制御する入退管理システムが開示されている。この入退管理システムによれば、設備を操作できる人物を制限することができる。
【先行技術文献】
【特許文献】
【０００５】
【特許文献１】特開平８−３１５７９号公報
【特許文献２】特開２００８−１９２０９５号公報
【発明の概要】
【発明が解決しようとする課題】
【０００６】
上記特許文献１の照明制御装置においては、カードに記憶された個人位置情報により、指定された位置に対応する照明のみを点灯させることができる。よって、居室全ての照明を点灯させたときに比べ電力の削減を図ることができる。しかしながら、ユーザが執務を行う執務エリア、具体的にはユーザの机を含むエリアを個人位置情報として設定した場合、居室のドアから執務エリアまでの経路の照明が確保されないため、その経路を歩行する際の安全性に問題がある。一方、執務エリアと、居室のドアから執務エリアまでの経路とを個人情報として設定した場合、執務中において、その経路を照らす照明の電力が無駄になってしまうという問題がある。また、カードに、ユーザの執務エリアを予め個人位置情報として記憶させると、執務エリアの位置が固定されてしまう。そうすると、ユーザが個々の机を持たずに執務エリアを適宜変更することができるフリーアドレス方式のオフィスのような居室においては、予め設定した執務エリアに対応する照明しか制御することができず、適宜変更する執務エリアに対応する照明を制御することができないという問題がある。
【０００７】
上記特許文献２の入退管理システムにおいては、ＩＣカードに記憶された情報に基づいて、設備を制御することができる。しかしながら、この入退管理システムにおいては、設備の制御が居室単位の区画に対して行われるため、居室が大きい場合、執務エリア以外に対応する設備の電力が無駄になってしまうという問題がある。
【０００８】
本発明の目的は、居室の入退室を管理するとともに、入退室の情報に基づいて居室に設けられた設備を制御する設備制御装置において、設備の消費電力の削減を図るとともに、ユーザが居室内を歩行する経路の照明を確保してユーザの安全性の向上を図り、フリーアドレス方式のオフィスのような居室における設備の制御に対応することができる設備制御装置を提供することにある。
【課題を解決するための手段】
【０００９】
本発明の設備制御装置は、居室の外側に設置され、ユーザが所持する記憶媒体に記憶された記憶媒体情報を読み取る記憶媒体情報読取部と、ユーザの個人情報と、居室に設置された設備の設備情報とを管理する情報管理部と、記憶媒体情報読取部が読み取った記憶媒体情報と、情報管理部が管理する個人情報とを照合して、ユーザの入退室を確認する入退室確認部と、入退室確認部がユーザの入室を確認した場合、情報管理部が管理する設備情報に基づいて設備を選定する設備選定部と、設備選定部により選定された設備を制御する設備制御部と、を有することを特徴とする。
【００１０】
また、情報管理部により管理される設備情報には、照明の位置情報が含まれ、設備選定部は、照明の位置情報に基づいて照明を選定する照明選定部を含み、設備制御部は、照明選定部により選定された照明を制御する照明制御部を含み、照明選定部は、入室するユーザの個人情報に基づいて、そのユーザが過去に執務を行った執務エリアを推定し、居室のドアと推定した執務エリアとを結ぶ動線に対応する照明を選定し、照明制御部は、照明選定部により選定された照明を点灯させることができる。
【００１１】
また、居室に設置されたカメラにより居室の移動体を監視する移動体監視部を有し、情報管理部により管理される設備情報には、照明の位置情報が含まれ、設備選定部は、照明の位置情報に基づいて照明を選定する照明選定部を含み、設備制御部は、照明選定部により選定された照明を制御する照明制御部を含み、照明選定部は、移動体監視部による移動体の情報に基づいて、居室のドアと、ユーザが執務を行う執務エリアとを結ぶ動線に対応する照明を選定し、照明制御部は、照明選定部により選定された照明を点灯させることができる。
【００１２】
また、居室に設置されたパソコンの位置情報と認証状態とを管理するパソコン管理部を有し、照明選定部は、パソコン管理部から得られるログオン状態のパソコンの位置情報に基づいて、ユーザが執務を行う執務エリアを特定して、特定した執務エリアに対応する照明を選定し、照明制御部は、照明選定部により選定された照明を点灯させることができる。
【００１３】
また、照明制御部は、入退室確認部がユーザの入室を確認してから所定時間経過した場合、居室のドアと執務エリアとを結ぶ動線に対応する照明を消灯させることができる。
【００１４】
また、照明制御部は、パソコンがログオン状態になった場合、居室のドアと執務エリアとを結ぶ動線に対応する照明を消灯させることができる。
【００１５】
また、照明制御部は、パソコンがログオフ状態になった場合、執務エリアに対応する照明を消灯させることができる。
【００１６】
また、ユーザが執務エリアから移動した場合、照明選定部は、移動体監視部による移動体の情報に基づいて、ユーザが移動した経路に対応する照明を選定し、照明制御部は、照明選定部により選定された照明を点灯させることができる。
【００１７】
また、照明制御部は、移動体監視部が、ユーザが執務エリア内に戻ったことを確認してから所定時間経過した場合、ユーザが移動した経路に対応する照明を消灯させることができる。
【００１８】
また、照明制御部は、パソコンがログオフ状態になった場合、居室のドアと執務エリアとを結ぶ動線に対応する照明を再度点灯させることができる。
【００１９】
また、照明制御部は、入退室確認部がユーザの退室を確認した場合、居室のドアと執務エリアとを結ぶ動線に対応する照明を消灯させることができる。
【００２０】
また、情報管理部により管理される設備情報には、空調機の空調対象ゾーン情報が含まれ、設備選定部は、空調対象ゾーン情報に基づいて、ユーザが執務を行う執務エリアの冷暖房を行う空調機を選定する空調機選定部を含み、設備制御部は、空調機選定部により選定された空調機を制御する空調機制御部を含み、空調機選定部は、入室するユーザの個人情報に基づいて、そのユーザが過去に執務を行っていた執務エリアを推定して、推定した執務エリアの冷暖房を行う空調機を選定し、空調機制御部は、空調機選定部により選定された空調機を運転させることができる。
【００２１】
また、空調機制御部は、入退室確認部がユーザの退室を確認した場合、運転中の空調機を停止させることができる。
【００２２】
また、居室に設置されたパソコンの位置情報と認証状態とを管理するパソコン管理部を有し、情報管理部により管理される設備情報には、空調機の空調対象ゾーン情報が含まれ、設備選定部は、空調対象ゾーン情報に基づいて、ユーザが執務を行う執務エリアの冷暖房を行う空調機を選定する空調機選定部を含み、設備制御部は、空調機選定部により選定された空調機を制御する空調機制御部を含み、空調機選定部は、パソコン管理部から得られるログオン状態のパソコンの位置情報に基づいて、ユーザが執務を行う執務エリアを特定して、特定した執務エリアの冷暖房を行う空調機を選定し、空調機制御部は、空調機選定部により選定された空調機を運転させることができる。
【００２３】
また、空調機制御部は、パソコンがログオフ状態になった場合、運転中の空調機を停止させることができる。
【００２４】
また、居室のドアには電気錠が設けられ、入退室確認部の入退室の確認に基づいて電気錠を制御する電気錠制御部を有することができる。
【発明の効果】
【００２５】
本発明の設備制御装置によれば、設備の消費電力の削減を図るとともに、ユーザが居室内を歩行する経路の照明を確保してユーザの安全性の向上を図り、フリーアドレス方式のオフィスのような居室における設備の制御に対応することができる。
【図面の簡単な説明】
【００２６】
【図１】本実施形態に係る設備制御装置の構成を示す図である。
【図２】ユーザが入室するときの照明の状態を示す図である。
【図３】ユーザが執務を開始するときの照明の状態を示す図である。
【図４】ユーザが居室内を移動するときの照明の状態を示す図である。
【図５】ユーザが執務を終了するときの照明の状態を示す図である。
【図６】ユーザが退室するときの照明の状態を示す図である。
【図７】ユーザが執務を開始するときの空調機の状態を示す図である。
【図８】ユーザが執務を終了するときの空調機の状態を示す図である。
【発明を実施するための形態】
【００２７】
本発明に係る設備制御装置の実施形態について、図を用いて説明する。図１は、本実施形態に係る設備制御装置１０の構成を示す図である。
【００２８】
本実施形態の設備制御装置１０は、勤務時間外に、居室１２に設置された設備を制御する装置である。勤務時間外とは、言い換えれば残業時間帯のことであり、平日の夜間および休日などである。居室１２に設置された設備とは、居室１２内を照らして明るくする照明１４と、居室１２内の冷暖房を行う空調機１６である。
【００２９】
居室１２は、ユーザが利用する部屋であり、例えばオフィスの一区画である。居室１２には、ユーザの出入り口となる扉１８が設けられている。扉１８には、電気錠（図示せず）が設けられている。なお、居室１２は、一つに限らず複数の部屋とすることができる。
【００３０】
居室１２には、上述したように照明１４と空調機１６とが設置されている。また、居室１２には、ユーザが利用するパソコン２０と、居室１２内を撮影するカメラ２２とが設置されている。本実施形態におけるパソコン２０は、予め定められた位置に配置されており、持ち運び等により他の場所に移動することができないものとする。
【００３１】
照明１４は、居室１２の天井に複数設置される。照明１４には、照明１４を操作する操作部（図示せず）が接続されている。操作部は、壁面に設置され、複数台の照明を操作するスイッチなどである。操作部は、照明１４の点灯及び消灯を行うことができる。
【００３２】
空調機１６は、居室１２の天井に複数設置される。空調機１６は、ファン及びコイル（図示せず）を内蔵している。コイルで冷却または加熱された空気をファンが居室１２内に送り出すことにより、空調機１６は居室１２内の冷房または暖房を行う。空調機１６には、空調機１６を操作する操作部（図示せず）が接続されている。操作部は、壁面に設置され、リモコン、複数台の空調機を操作する集中コントローラなどである。操作部は、空調機１６の運転及び停止、居室１２内の設定温度の調整、風向き及び風速の調整などを行うことができる。なお、本実施形態においては、居室１２の天井に空調機１６を設ける場合について説明したが、この構成に限定されず、居室１２の天井裏または機械室などに空調機１６を設けてもよい。この場合、空調機１６と居室１２とを風道（ダクト）で接続し、風道を介して空調機１６から居室１２内に空気を送り出すことにより、居室１２内の冷房または暖房を行うことができる。
【００３３】
設備制御装置１０は、ユーザが所持する記憶媒体に記憶された記憶媒体情報を読み取る記憶媒体情報読取部２４と、各種情報を管理する情報管理部２６と、居室１２に対するユーザの入退室を確認する入退室確認部２８と、入退室確認部２８の入退室の確認に基づいて扉１８の電気錠を制御する電気錠制御部３０とを有する。
【００３４】
記憶媒体情報読取部２４は、居室１２の外側であって扉１８の付近に設置される。ユーザが所持する記憶媒体とは、例えばカードや携帯端末のことである。記憶媒体に記憶された記憶媒体情報とは、記憶媒体を所持するユーザ本人であることを証明する情報（ＩＤ）であり、例えば複数の文字を含むＩＤ番号や図形からなる情報である。記憶媒体情報読取部２４は、記憶媒体に対し接触または非接触で記憶媒体情報を読み取り、その情報を入退室確認部２８に送信する。
【００３５】
情報管理部２６は、各種情報、具体的にはユーザの個人情報と、居室１２に設置された設備の設備情報とを管理する。ユーザの個人情報とは、ＩＤ番号、これに対応する入退室許可居室番号、およびユーザが過去に利用したパソコン２０の位置情報のことである。入退室許可居室番号とは、入退室が許可される居室に番号を付したものである。パソコン２０の位置情報は、後述するパソコン管理部３２から取得することができる。設備情報とは、照明１４の位置情報と、空調機１６の空調対象ゾーン情報のことである。照明１４の位置情報とは、照明１４ごとに付されたアドレス情報のことである。空調機１６の空調対象ゾーン情報とは、各空調機１６が適切な冷暖房を行うことができる領域に関する情報のことである。
【００３６】
入退室確認部２８は、記憶媒体情報読取部２４と情報管理部２６と電気錠制御部３０に接続される。入退室確認部２８は、居室１２の記憶媒体情報読取部２４が読み取った記憶媒体情報と、情報管理部２６が管理する個人情報とを照合して、ユーザの入退室を確認する。
【００３７】
具体的には、入室時、入退室確認部２８は、記憶媒体情報読取部２４から記憶媒体情報である例えばＩＤ番号を受信すると、ＩＤ番号とこれに対応する入退室許可番号とを情報管理部２６から取得する。そして、入退室確認部２８は、記憶媒体情報読取部２４からのＩＤ番号と、情報管理部２６からのＩＤ番号を照合し、一致したＩＤ番号に対応する入退室許可番号に基づいて入室の確認を行う。居室１２の入退室許可番号がある場合、入退室確認部２８は、ユーザの入室を確認するとともに、電気錠制御部３０に解錠指令を送信する。このとき、記憶媒体情報読取部２４が、ユーザの入室が許可された旨を音声またはランプ等の表示により報知してもよい。一方、居室１２の入退室許可番号がない場合、入退室確認部２８は、ユーザの入室を許可せず、電気錠は施錠状態のままとなる。このとき、記憶媒体情報読取部２４が、ユーザの入室が許可されない旨を音声またはランプ等の表示により報知してもよい。
【００３８】
退室時、入退室確認部２８は、入室時と同様、記憶媒体情報読取部２４からＩＤ番号を受信すると、ＩＤ番号とこれに対応する入退室許可番号とを情報管理部２６から取得する。そして、入退室確認部２８は、記憶媒体情報読取部２４からのＩＤ番号と、情報管理部２６からのＩＤ番号を照合し、それらが一致することにより退室の確認を行う。居室１２の入退室許可番号がある場合、入退室確認部２８は、ユーザの退室を確認するとともに、電気錠制御部３０に施錠指令を送信する。このとき、記憶媒体情報読取部２４が、ユーザの入室が許可された旨を音声またはランプ等の表示により報知してもよい。
【００３９】
また、設備制御装置１０は、居室１２の移動体を監視する移動体監視部３２と、パソコン２０の位置情報と認証状態とを管理するパソコン管理部３４とを有する。
【００４０】
移動体監視部３２は、カメラ２２に接続される。移動体監視部３２は、カメラ２２により撮影された画像情報を受信すると、カメラ２２で撮影された撮影時刻が所定の時間異なる２枚の画像から画像内の移動体を認定し、移動体の移動方向を算出する。移動体は、居室１２内を移動する人物である。そして、移動体監視部３２は、異なるカメラ２２で撮影された撮影時刻が同一の２以上の画像から移動体の場所を算出する。このようにして、移動体監視部３２は、居室１２の移動体を監視し、この移動体の情報を、後述する設備選定部３６に送信する。
【００４１】
パソコン管理部３４は、パソコン２０に接続される。パソコン管理部３４は、パソコン２０の位置情報を管理する。パソコン２０の位置情報とは、パソコン２０ごとに付されたアドレス情報のことである。また、パソコン管理部３４は、パソコン２０の認証状態を管理する。パソコン２０の認証状態とは、ログオン状態とログオフ状態のことである。パソコン管理部３４は、上述したユーザの個人情報も管理する。パソコン管理部３４は、パソコン２０に入力されたＩＤ番号とパスワードなどの個人情報と、パソコン管理部３４が管理する個人情報とを照合し、一致した場合、そのユーザによるパソコン２０に利用を許可する。これにより、パソコン管理部３４は、誰がどのパソコン２０を利用しているか管理することができる。パソコン管理部３４は、ログオン状態のパソコン２０の位置情報を、後述する設備選定部３６に送信する。なお、パソコン２０に対するログオン方法は、パソコン本体に接続されるキーボードからＩＤ番号とパスワードを入力する方法であっても、パソコン本体に接続されるリーダーに、ユーザが所持する記憶媒体の情報を読み取らす方法であってもよい。また、パソコン管理部３４は、情報管理部２６からユーザの個人情報を取得してもよい。
【００４２】
さらに、設備制御装置１０は、入退室確認部２８がユーザの入室を確認した場合、情報管理部２６が管理する設備情報に基づいて設備を選定する設備選定部３６と、設備選定部３６により選定された設備を制御する設備制御部３８とを有する。
【００４３】
設備選定部３６は、情報管理部２６と入退室確認部２８と移動体監視部３２とパソコン管理部３４とに接続される。設備選定部３６は、照明１４の位置情報に基づいて照明１４を選定する照明選定部４０と、空調対象ゾーン情報に基づいて、ユーザが執務を行う執務エリアの冷暖房を行う空調機１６を選定する空調機選定部４２とを含む。設備制御部３８は、設備選定部３６に接続される。設備制御部３８は、照明選定部４０により選定された照明１４を制御する照明制御部４４と、空調機選定部４２により選定された空調機１６を制御する空調機制御部４６とを含む。以下、設備制御装置１０が照明１４を制御する場合と、空調機１６を制御する場合に分けて説明する。
【００４４】
まず、設備制御装置１０が照明１４を制御する場合について、図２から６を用いて説明する。図２は、ユーザが入室するときの照明１４の状態を示す図であり、図３は、ユーザが執務を開始するときの照明１４の状態を示す図であり、図４は、ユーザが居室１２内を移動するときの照明１４の状態を示す図であり、図５は、ユーザが執務を終了するときの照明１４の状態を示す図であり、図６は、ユーザが退室するときの照明１４の状態を示す図である。
【００４５】
ユーザが居室１２に入室するとき、ユーザが所持する記憶媒体に記憶された記憶媒体情報が記憶媒体情報読取部２４により読み取られ、この情報と、情報管理部２６が管理する個人情報とが一致すると、扉１８の電気錠が解錠して、ユーザの入室が可能となる。このとき、入退室確認部２８は、ユーザの入室を確認したという情報を、照明選定部４０に送信する。そうすると、照明選定部４０は、情報管理部２６からそのユーザの個人情報であって、ユーザが過去に利用したパソコン２０の位置情報を取得し、そのパソコン２０の位置情報からユーザが過去に執務を行った執務エリアを推定する。図２には、ユーザが過去に利用したパソコン２０の位置の一例を示す。執務エリアは、パソコン２０が配置された机を含む周辺のエリア（図中、破線で囲まれた範囲）であり、符号５０で示す。そして、照明選定部４０は、情報管理部２６から取得する照明１４の位置情報に基づいて、扉１８と執務エリア５０とを結ぶ動線に対応する照明１４ａを選定する。動線とは、ユーザが移動可能な通路のことであり、居室１２内のオフィスレイアウトにより予め複数の動線が設定される。図２には、扉１８と執務エリア５０とを結ぶ動線（破線で囲まれた範囲）の一例を符号５２で示す。また、動線５２に対応する照明１４ａとは、動線の照明を確保することができる照明のことであり、図２においては、ハッチングにより他の照明１４と区別させている。そして、照明制御部４４は、動線５２に対応する照明１４ａを点灯させる。これにより、入室時において、扉１８から執務エリア５０までの動線５２の照明が確保されるため、ユーザが動線５２を歩行する際の安全性が確保される。また、入室時において、照明制御部４４が動線５２に対応する照明１４ａのみ点灯させるので、居室１２全体の照明１４を点灯させる場合に比べ、電力の削減を図ることができる。
【００４６】
そして、ユーザがパソコン２０を用いて執務を開始するとき、パソコン２０に入力された個人情報と、パソコン管理部３４が管理する個人情報とが一致すると、パソコン２０がログオン状態となる。このとき、パソコン管理部３４は、ログオン状態のパソコン２０の位置情報を照明選定部４０に送信する。そうすると、照明選定部４０は、そのパソコン２０の位置情報に基づいて、ユーザが執務を行う執務エリア５０（図３において、破線で囲まれた範囲）を特定する。そして、照明選定部４０は、情報管理部２６から取得する照明１４の位置情報に基づいて、特定した執務エリア５０に対応する照明１４ｂを選定する。執務エリア５０に対応する照明１４ｂとは、執務エリア５０の照明を確保することができる照明のことであり、図３においては、ハッチングにより他の照明１４と区別させている。そして、照明制御部４４は、執務エリア５０に対応する照明１４ｂを点灯させる。一方、照明制御部４４は、パソコン２０がログオン状態になった場合、上述した動線５２に対応する照明１４ａを消灯させる。これにより、執務開始時において、照明制御部４４が執務エリア５０に対応する照明１４ｂのみ点灯させるので、居室１２全体の照明１４を点灯させる場合に比べ、電力の削減を図ることができる。また、執務開始時において、照明制御部４４が動線５２に対応する照明１４ａを消灯させるので、執務中に不必要な動線５２を照らす照明１４ａの電力の削減を図ることができる。さらに、フリーアドレス方式のオフィスのような居室においては、適宜変更する執務エリア５０に対応する照明１４ｂを適切に選定することができる。
【００４７】
また、ユーザが執務中に居室１２内を移動すると、ユーザはカメラ２２により移動体として撮影され、移動体監視部３２により監視される。移動体監視部３２は、移動体の情報を照明選定部４０に送信する。そうると、照明選定部４０は、移動体監視部３２による移動体の情報、具体的には移動体の位置と移動方向の情報に基づいて、ユーザが移動した経路に対応する照明１４ｃを選定する。図４には、ユーザが執務エリア５０からコピー機５４に向けて移動したときの経路（破線で囲まれた範囲）の一例を符号５６で示す。また、経路５６に対応する照明１４ｃとは、経路５６の照明を確保することができる照明のことである。そして、照明制御部４４は、経路５６に対応する照明１４ｃを点灯させる。その後、移動体監視部３２が、ユーザが移動先（例えばコピー機５４）から執務エリア５０内に戻ったことを確認すると、それから所定時間経過（例えば１分）後に、照明制御部４４は、経路５６に対応する照明１４ｃを消灯させる。これにより、執務中に居室１２内を移動する場合において、執務エリア５０から移動先までの経路５６の照明が確保されるため、ユーザが経路５６を歩行する際の安全性が確保されるとともに、経路５６に対応する照明１４ｃのみ点灯させるので、居室１２全体の照明１４を点灯させる場合に比べ、電力の削減を図ることができる。また、ユーザが移動先から執務エリア５０に戻った場合、照明制御部４４が経路５６に対応する照明１４ｃを消灯させるので、執務中に不必要な経路５６を照らす照明１４ｃの電力の削減を図ることができる。
【００４８】
そして、ユーザが執務を終了するとき、パソコン２０がログオフ状態となる。そうすると、照明制御部４４は、執務エリア５０に対応する照明１４ｂを消灯させる。また、照明制御部４４は、動線５２に対応する照明１４ａ（図５において、ハッチングで示す）を再度点灯させる。これにより、ユーザが執務を終了するとき、執務エリア５０に対応する照明１４ｂの消し忘れを防止することができる。また、執務エリア５０から扉１８までの動線５２の照明が確保されるため、ユーザが動線５２を歩行する際の安全性が確保されるとともに、動線５２に対応する照明１４ａのみ点灯させるので、居室１２全体の照明１４を点灯させる場合に比べ、電力の削減を図ることができる。
【００４９】
最後に、ユーザが居室１２から退室するとき、ユーザが所持する記憶媒体に記憶された記憶媒体情報が記憶媒体情報読取部２４により読み取られ、この情報と、情報管理部２６が管理する個人情報とが一致すると、入退室確認部２８がユーザの退室を確認するとともに、扉１８の電気錠が施錠する。そうすると、照明制御部４４は、図６に示されるように、動線５２に対応する照明１４ａを消灯させる。これにより、動線５２に対応する照明１４ａの消し忘れを防止することができる。
【００５０】
次に、設備制御装置１０が空調機１６を制御する場合について、図を用いて説明する。図７は、ユーザが執務を開始するときの空調機１６の状態を示す図であり、図８は、ユーザが執務を終了するときの空調機１６の状態を示す図である。なお、図７，８において、居室１２に空調機１６が４台設置され、空調対象ゾーン（図中の破線で囲まれた範囲）が各空調機１６に対応するように４つ設定されている。しかし、空調機１６および空調対象ゾーンの数は一例であって、本発明は空調機１６および空調対象ゾーンの数４個に限定されない。
【００５１】
ユーザがパソコン２０を用いて執務を開始するとき、パソコン２０に入力された個人情報と、パソコン管理部３４が管理する個人情報とが一致すると、パソコン２０がログオン状態となる。このとき、パソコン管理部３４は、ログオン状態のパソコン２０の位置情報を空調機選定部４２に送信する。そうすると、空調機選定部４２は、そのパソコン２０の位置情報に基づいて、ユーザが執務を行う執務エリア５０（図７において、破線で囲まれた範囲）を特定する。そして、空調機選定部４２は、情報管理部２６から取得する空調機対象ゾーン情報に基づいて、特定した執務エリア５０の冷暖房を行う空調機１６ａを選定する。執務エリア５０の冷暖房を行う空調機１６ａとは、執務エリア５０を含む空調機対象ゾーン（図７においては符号５６で示す）に対応する空調機のことであり、図においては、ハッチングにより他の空調機１６と区別させている。そして、空調機制御部４６は、執務エリア５０の冷暖房を行う空調機１６ａを運転させる。これにより、執務開始時において、空調機制御部４６が執務エリア５０に対応する空調機１６ａのみ運転させるので、居室１２全体の空調機１６を運転させる場合に比べ、電力の削減を図ることができる。また、フリーアドレス方式のオフィスのような居室においては、適宜変更する執務エリア５０に対応する空調機１６ａを適切に選定することができる。
【００５２】
そして、ユーザが執務を終了するとき、パソコン２０がログオフ状態となる。そうすると、空調機制御部４６は、執務エリア５０に対応する空調機１６ａを停止させる。これにより、ユーザが執務を終了するとき、執務エリア５０に対応する空調機１６ａの消し忘れを防止することができる。
【００５３】
本実施形態においては、入退室確認部２８が、ユーザが所持する記憶媒体を用いて本人確認を行い、入退室の管理を行う場合について説明したが、この構成に限定されない。記憶媒体情報読取部２４がユーザの身体的特徴や行動的特徴を情報として読み取り、入退室確認部２８が、この情報に基づいて本人確認、いわゆる生体認証を行い、入退室の管理を行うこともできる。ユーザの身体的特徴とは、顔形、指紋、静脈などであり、ユーザの行動的特徴とは、筆跡などである。
【００５４】
本実施形態においては、ユーザが入室するとき、照明選定部４０は、そのユーザが過去に執務を行った執務エリア５０を推定し、扉１８と執務エリア５０とを結ぶ動線５２に対応する照明１４ａを選定する場合について説明したが、この構成に限定されない。照明選定部４０は、移動体監視部３２による移動体の情報に基づいて、扉１８と執務エリア５０とを結ぶ動線５２に対応する照明１４ａを選定することができる。具体的には、照明選定部４０は、移動体の位置と移動方向により、ユーザが歩行する通路を特定することができ、その通路を動線５２とみなして照明１４ａを選定する。これにより、フリーアドレス方式のオフィスのような居室においては、適宜変更する執務エリア５０までの通路に対応する照明を適切に選定することができる。
【００５５】
本実施形態においては、執務開始時において、パソコン２０がログオン状態になったとき、照明制御部４４は、動線５２に対応する照明１４ａを消灯させる場合について説明したが、この構成に限定されない。照明制御部４４は、入退室確認部２８がユーザの入室を確認してから所定時間（例えば１０分）経過したときに、動線５２に対応する照明１４ａを消灯させてもよい。
【００５６】
また、本実施形態においては、執務開始時において、パソコン２０がログオン状態になったとき、空調機制御部４６は、執務エリア５０の冷暖房を行う空調機１６ａを運転させる場合について説明したが、この構成に限定されない。ユーザが入室するとき、空調機制御部４６は、執務エリア５０の冷暖房を行う空調機１６ａを運転させることもできる。具体的には、ユーザの入室時に、入退室確認部２８によりユーザの入室が確認された場合、空調機選定部４２は、情報管理部２６からそのユーザの個人情報であって、ユーザが過去に利用したパソコン２０の位置情報を取得し、そのパソコン２０の位置情報からユーザが過去に執務を行った執務エリア５０を推定する。そして、空調機選定部４２は、情報管理部２６から取得する空調対象ゾーン情報に基づいて、推定した執務エリア５０の冷暖房を行う空調機１６ａを選定する。そして、空調機制御部４６は、選定された空調機１６ａを運転させることもできる。
【００５７】
また、本実施形態では、執務終了時において、パソコン２０がログオフ状態になったとき、空調機制御部４６は、執務エリア５０の冷暖房を行う空調機１６ａを停止させる場合について説明したが、この構成に限定されない。ユーザが退室するとき、空調機制御部４６は、執務エリア５０の冷暖房を行う空調機１６ａを停止させることもできる。具体的には、ユーザの退室時に、入退室確認部２８によりユーザの退室が確認された場合、空調機制御部４６は、運転中の空調機１６ａを停止させることもできる。
【符号の説明】
【００５８】
１０  設備制御装置、１２  居室、１４  照明、１６  空調機、１８  扉、２０  パソコン、２２  カメラ、２４  記憶媒体情報読取部、２６  情報管理部、２８  入退室確認部、３０  電気錠制御部、３２  移動体監視部、３４  パソコン管理部、３６  設備選定部、３８  設備制御部、４０  照明選定部、４２  空調機選定部、４４  照明制御部、４６  空調機制御部。
【図１】
2010183322.tif 000003
【図２】
2010183322.tif 000004
【図３】
2010183322.tif 000005
【図４】
2010183322.tif 000006
【図５】
2010183322.tif 000007
【図６】
2010183322.tif 000008
【図７】
2010183322.tif 000009
【図８】
2010183322.tif 000010